(57)【要約】【課題】  人為的な操作無しに現在位置及び通信相手先に応じて着信応答処理の切替え動作を実現させ、利便性を向上し得る携帯通信端末装置を実現させること。【解決手段】  現在の位置情報を検出する公衆回線用モジュール１５及び構内回線用モジュール１６と、通信相手先を特定する通信相手特定手段と、登録識別情報、登録識別情報に対応付けられた登録通信相手先情報、登録通信相手先情報に対応付けられた着信報知処理情報及び対応処理情報を有する着信設定データ群１２を記憶する記憶部１１と、着信時において現在の位置情報と着信設定データ群１２の登録位置情報とが一致する場合、通信相手先と登録通信相手先情報とが一致するか否かを判別し、一致すると判別した場合、一致した登録通信相手先情報に対応付けられた着信処理を実行させる制御手段と、を備える携帯電話機１。【選択図】図２
2006211573.tif 000002
【特許請求の範囲】
【請求項１】
無線通信回線網の基地局を介して通信を行う携帯通信端末装置において、
現在の位置情報を検出する位置検出手段と、
通信相手先を特定する通信相手特定手段と、
予め登録された登録位置情報と当該登録位置情報に対応付けられた通信相手先を示す登録通信相手先情報と当該登録通信相手先情報に対応付けられた着信処理情報とを含む着信設定データ群が記憶された記憶手段と、
前記無線通信回線網を介しての通信の着信時において、前記位置検出手段で検出された現在の位置情報と前記着信設定データ群の登録位置情報とが一致する場合、前記通信相手特定手段により特定された通信相手先と前記着信設定データ群の登録位置情報に対応付けられた登録通信相手先情報が示す通信相手先とが一致するか否かを判別し、一致すると判別した場合、前記着信設定データ群の登録通信相手先情報に対応付けられた着信処理情報を実行させる制御手段と、
を備えることを特徴とする携帯通信端末装置。
【請求項２】
公衆無線通信回線網の基地局を介して通信を行うための公衆回線用送受信手段と、
構内に設置された構内無線通信回線網の基地局を介して通信を行うための構内回線用送受信手段と、を備え、
前記制御手段は、前記位置検出手段から検出された現在の位置情報が前記構内を示す情報である場合、構内回線用送受信手段を公衆回線送受信手段よりも優先して選択すること、
を特徴とする請求項１に記載の携帯通信端末装置。
【請求項３】
前記登録位置情報は、前記基地局を識別する識別情報であること、
を特徴とする請求項１又は２に記載の携帯通信端末装置。
【請求項４】
前記着信処理情報は、着信時の着信報知処理情報であること、
を特徴とする請求項１から３のいずれか一項に記載の携帯通信端末装置。
【請求項５】
前記着信処理情報は、着信時に起動されるアプリケーション処理情報であること、
を特徴とする請求項１から４のいずれか一項に記載の携帯通信端末装置。
【請求項６】
無線通信回線網の基地局を介して通信を行う携帯通信端末装置に設けられたコンピュータを、
現在の位置情報を検出する位置検出手段と、
通信相手先を特定する通信相手特定手段と、
予め登録された登録位置情報と当該登録位置情報に対応付けられた通信相手先を示す登録通信相手先情報と当該登録通信相手先情報に対応付けられた着信処理情報とを含む着信設定データ群を記憶する記憶手段と、
前記無線通信回線網を介しての通信の着信時において、前記位置検出手段で検出された現在の位置情報と前記着信設定データ群の登録位置情報とが一致する場合、前記通信相手特定手段により特定された通信相手先と前記着信設定データ群の登録位置情報に対応付けられた登録通信相手先情報が示す通信相手先とが一致するか否かを判別し、一致すると判別した場合、前記着信設定データ群の登録通信相手先情報に対応付けられた着信処理情報を実行させる制御手段と、
として機能させることを特徴とするプログラム。
【発明の詳細な説明】
【技術分野】
【０００１】
本発明は、無線通信回線網の基地局を介して通信を行う携帯通信端末装置及びプログラムに関する。
【背景技術】
【０００２】
携帯電話機やＰＨＳ電話機、或いは携帯用パーソナルコンピュータ等の携帯通信端末装置は、公衆無線通信回線網の基地局（公衆基地局）又は予め設定された建物又は敷地内（構内）に設けられた構内無線通信回線網の基地局（アクセスポイント）を介して通信可能な機能を備えている。
【０００３】
このような携帯通信端末装置は、着信音を鳴動させることにより着信を報知させる機能を有しているが、着信音が鳴動すると周囲に迷惑をかける場合があるため、ユーザの操作に基づいて、着信音の音量や音種の変更やバイブレータによる振動による報知に設定可能な機能を有している。しかし、これらの設定操作を忘れる場合を想定して、ユーザによる人為的な操作なしに着信応答処理が変更されることが望まれていた。
【０００４】
そこで、予め通信相手先に応じて着信応答処理を設定可能な携帯通信端末装置や、基地局の識別番号が登録され、且つ着信の方法が設定されており、着信時の基地局の識別番号が登録されている時は、設定された着信の方法に従った着信処理を行う移動端末装置（特許文献１参照）や、自装置の置かれる位置と当該位置において着信時での着信音量、振動設定の有無、録音機能の有無、通話禁止等の情報を有するデータベースを備え、着信時において、データベースを参照して現在位置に対応する情報に設定する携帯電話装置（特許文献２参照）が開示されている。
【特許文献１】特開平１１−１２２６６８号公報
【特許文献２】特開２００３−１５２８２３号公報
【発明の開示】
【発明が解決しようとする課題】
【０００５】
しかしながら、特許文献１及び２によれば、位置に応じて着信応答処理を設定しているものにすぎず、現在位置が通話禁止等の着信制限に設定されている場合、緊急時において緊急通信相手先からの着信を受けることができないという問題があり、その後の対応が遅れることによって多大な損害が生じる恐れがある。また、通信相手先に応じて着信応答処理を設定する携帯通信端末装置は、位置に応じて通信相手先の着信応答処理設定をユーザが設定しなくてはならず、設定を忘れた場合には、周囲に迷惑をかけるおそれがあった。
【０００６】
本発明の課題は、人為的な操作無しに現在位置及び通信相手先に応じて着信応答処理の切替え動作を実現させ、ユーザに対して利便性を向上し得る携帯通信端末装置を実現させることである。
【課題を解決するための手段】
【０００７】
請求項１に記載の発明は、無線通信回線網の基地局を介して通信を行う携帯通信端末装置において、現在の位置情報を検出する位置検出手段と、通信相手先を特定する通信相手特定手段と、予め登録された登録位置情報と当該登録位置情報に対応付けられた通信相手先を示す登録通信相手先情報と当該登録通信相手先情報に対応付けられた着信処理情報とを含む着信設定データ群が記憶された記憶手段と、前記無線通信回線網を介しての通信の着信時において、前記位置検出手段で検出された現在の位置情報と前記着信設定データ群の登録位置情報とが一致する場合、前記通信相手特定手段により特定された通信相手先と前記着信設定データ群の登録位置情報に対応付けられた登録通信相手先情報が示す通信相手先とが一致するか否かを判別し、一致すると判別した場合、前記着信設定データ群の登録通信相手先情報に対応付けられた着信処理情報を実行させる制御手段と、を備える携帯通信端末装置であることを特徴としている。
更に、コンピュータに対して、上述した請求項１に記載の発明に示した主要手段を機能させるためのプログラムを提供する（請求項６に記載の発明）。
【０００８】
請求項２に記載の発明は、請求項１に記載の携帯通信端末装置において、公衆無線通信回線網の基地局を介して通信を行うための公衆回線用送受信手段と、構内に設置された構内無線通信回線網の基地局を介して通信を行うための構内回線用送受信手段と、を備え、前記制御手段は、前記位置検出手段から検出された現在の位置情報が前記構内を示す情報である場合、構内回線用送受信手段を公衆回線送受信手段よりも優先して選択すること、を特徴としている。
【０００９】
請求項３に記載の発明によれば、請求項１又は２に記載の携帯通信端末装置において、前記登録位置情報は、前記基地局を識別する識別情報であること、を特徴としている。
【００１０】
請求項４に記載の発明によれば、請求項１から３のいずれか一項に記載の携帯通信端末装置において、前記着信処理情報は、着信時の着信報知処理情報であること、を特徴としている。
【００１１】
請求項５に記載の発明によれば、請求項１から４のいずれか一項に記載の携帯通信端末装置において、前記着信処理情報は、着信時に起動されるアプリケーション処理情報であること、を特徴としている。
【発明の効果】
【００１２】
請求項１、６に記載の発明によれば、人為的な操作無しに現在の位置情報及び通信相手先に応じて着信応答処理の切替え動作を実現させることができるため、緊急事項や重要事項等の連絡を受信できないという問題を解消させ、その後の対応が遅れることによって多大な損害が生る怖れを防止でき、また、通信相手先の着信応答処理設定を忘れることにより周囲に迷惑をかける怖れを防止でき、ユーザに対する利便性を向上させることができる。
【００１３】
請求項２に記載の発明によれば、公衆無線通信回線網及び構内無線通信回線網を介して通信な携帯通信端末装置を実現でき、構内の特定の位置において、着信応答処理の切替え動作を実現させることができる。
【００１４】
請求項３に記載の発明によれば、登録位置情報が基地局を識別する識別情報であることにより、ＧＰＳ（Global Positioning System）等の特別な構成を備えることなく、着信応答処理の対応位置を容易に設定することができる。
【００１５】
請求項４に記載の発明によれば、着信処理情報が着信時の着信報知処理情報であることにより、登録通信相手先情報に対応付けて着信報知を設定することができ、ユーザに対して着信時において通信相手先を容易に特定し得ることと助長させることができる。
【００１６】
請求項５に記載の発明によれば、着信処理情報は、着信時に起動されるアプリケーション処理情報であることにより、登録通信相手先情報に対応付けて着信時に起動されるアプリケーションを設定することができ、緊急事項又は重要事項等の連絡ミスを防止することができる。
【発明を実施するための最良の形態】
【００１７】
以下、図１〜５を参照しながら、本発明に係る携帯通信端末装置を説明する。本発明の実施の形態では、携帯通信端末装置として、無線通信回線網を利用した小型で持ち運びができる携帯電話機１に適用した場合について説明する。
【００１８】
以下、本発明の実施の形態を詳細に説明する。
まず、構成を説明する。
図１に、本実施の形態１における携帯通信端末装置としての携帯電話機１の外観を示す。図１（ａ）に携帯電話機１の正面図を示し、図１（ｂ）に携帯電話機１の背面図を示す。図１（ａ）、（ｂ）に示すように、携帯電話機１は、ユーザに画像で情報を表示するメイン表示部１３１及びサブ表示部１３２、ユーザからの操作指示を受け付ける操作ボタン群１４１、公衆回線用アンテナ１５１及び構内回線用アンテナ１６１が内蔵されているアンテナ部Ａ、音を入力するマイク１８ａ及び音を出力するスピーカ１８ｂ等を備える。
【００１９】
図２に、本実施の形態１における携帯電話機１の内部構成を示す。
図２に示すように、携帯電話機１は、ＣＰＵ（Central Processing Unit）１０、記憶部１１、表示部１３、操作部１４、公衆回線用モジュール１５、構内回線用モジュール１６、振動装置１７、マイク１８ａ、スピーカ１８ｂ等により構成され、各部はバス１９等により電気的に接続されている。
【００２０】
ＣＰＵ１０は、記憶部１１に記憶されている各種制御プログラムを読み出し、記憶部１１内に形成されたワークエリアに展開し、携帯電話機１の各部を統括的に制御する。
【００２１】
ＣＰＵ１０は、記憶部１１との協働によって、本実施の形態を実現させるために、無線通信回線網を介しての通信の着信時における電話番号から通信相手先を特定する通信相手特定手段であり、着信時において公衆回線用モジュール１５又は構内回線用モジュール１６から検出された基地局（公衆基地局又はアクセスポイント）の識別情報と後述する着信設定データ群１２内の登録識別情報とが一致する場合、着信時における電話番号から通信相手先を特定し、一致した着信設定データ群１２の登録識別情報に対応付けられた登録通信相手先情報が示す通信相手先と一致するか否かを判別し、一致すると判別した場合、一致した着信設定データ群１２の登録通信相手先情報に対応付けられた着信処理情報を実行させる制御手段である。
【００２２】
記憶部１１は、読み書き可能な不揮発性の記憶媒体であり、各種初期設定、ハードウェアの検査、あるいは必要なプログラムを読込むための初期プログラムや、携帯電話機１の動作に係る各種機能を実現させるためのデータや各種制御プログラム、本発明を実現させるためのプログラムとしての着信規制処理プログラム、着信設定データ群１２を記憶しており、ＣＰＵ１０により実行される各種プログラム、各処理において処理中のデータ、処理結果などを一時的に記憶するワークエリアを形成する記憶手段である。
【００２３】
なお、記憶部１１としては、ＮＯＲ型フラッシュメモリ、ＮＡＮＤ型フラッシュメモリ等のデータの消去及び書き込みを自由に行うことができる不揮発性の各種フラッシュメモリや、擬似ＳＲＡＭ等を組み合わせて用いることができる。
【００２４】
図３に、着信設定データ群１２の一例を示す。
図３に示すように、着信設定データ群１２は、登録位置情報として予め設定された公衆基地局の識別番号及びアクセスポイントの識別番号が登録識別情報として登録されており、登録識別情報に対応して電話番号に基づいて識別可能な通信相手先が登録通信相手先情報として登録されており（例えば、構内アクセスポイント２に対応してＡさん、Ｄさん、Ｃさんが登録されている。）、登録通信相手先情報に対応して着信報知処理情報及びアプリケーション処理情報としての対応処理情報が着信処理情報として登録されている（例えば、Ａさん、Ｄさん、Ｃさんの場合は、着信報知処理情報はパターン５及び対応処理情報は留守番電話に登録されている。）。
【００２５】
本実施の形態の登録識別情報は、例えば、ロビー、会議室、社長室等の構内の着信応答処理の規制が必要と想定される場所に対応するアクセスポイントの識別情報と、構外である（即ち、公衆基地局である）旨を示す識別情報とが登録されている例を示すが、例えば、映画館や病院、学校等の構外の特定可能な場所を示す公衆基地局の識別情報が登録されていてもよい。
【００２６】
登録位置情報が基地局を識別する識別情報であることにより、ＧＰＳ（Global Positioning System）等の特別な構成を備えることなく、着信応答処理の対応位置を容易に設定することができる。
【００２７】
着信報知処理情報としては、例えば、音又は振動、及びこれらの組み合わせが挙げられる。音による報知の場合、音量又は音種、及びこれらの組み合わせにより複数の音による報知種別を実現できる。振動による報知の場合、振動の強弱又は振動パターン、及びこれらの組み合わせにより複数の振動による報知種別を実現できる。
【００２８】
着信処理情報が着信時の着信報知処理情報であることにより、登録通信相手先情報に対応付けて着信報知を設定することができ、ユーザに対して着信時において通信相手先を容易に特定し得ることと助長させることができる。
【００２９】
対応処理情報としては、着信報知処理後に起動されるアプリケーション処理情報を示し、例えば、通信相手先の伝言を録音する留守番電話処理や、通信相手先に対して伝言を報知する応答メッセージ処理等が挙げられる。
【００３０】
対応処理情報が着信報知処理後に起動されるアプリケーション処理情報であることにより、登録通信相手先情報に対応付けて着信時に起動されるアプリケーションを設定することができ、緊急事項又は重要事項等の連絡ミスを防止することができる。
【００３１】
表示部１３は、ＬＣＤ（Liquid Crystal Display）やＥＬＤ（Electroluminescence Display）等からなるメイン表示部１３１、サブ表示部１３２等により構成され、ＣＰＵ１０から入力される表示信号の指示に従って、メイン表示部１３１、サブ表示部１３２上に、各種操作画面等の各種情報を表示する。
【００３２】
操作部１４は、操作ボタン群１４１等により構成され、ユーザによって押下された操作ボタン群１４１等からの押下信号をＣＰＵ１０に出力する。
【００３３】
公衆回線用モジュール１５は、公衆回線用アンテナ１５１等を備え、ＣＰＵ１０から入力される指示に基づき、公衆回線用アンテナ１５１を介して公衆無線通信回線網上の基地局（公衆基地局）との間で無線通信を行う公衆回線用送受信手段であり、ＣＰＵ１０との協働により通話処理等が実現される。
また、公衆回線用モジュール１５は、公衆基地局からの電波に基づいて公衆基地局の識別情報を検出する位置検出手段であり、検出した基地局の識別情報をＣＰＵ１０に出力する。
【００３４】
構内回線用モジュール１６は、構内回線用アンテナ１６１等を備え、ＣＰＵ１０から入力される指示に基づき、構内回線用アンテナ１６１を介して構内無線通信回線網上の基地局（アクセスポイント）との間で無線通信を行う構内回線用送受信手段であり、ＣＰＵ１０との協働により通話処理等が実現される。
また、構内回線用モジュール１６は、アクセスポイントからの電波に基づいてアクセスポイントの識別情報を検出する位置検出手段であり、検出したアクセスポイントの識別情報をＣＰＵ１０に出力する。
【００３５】
通話処理は、着呼を示す信号を選択された公衆回線用モジュール１５又は構内回線用モジュールのいずれか一方の公衆回線用アンテナ１５１又は構内回線用アンテナ１６１が受信した場合、設定された着信報知処理情報に応じて、着信音をスピーカ１８ｂから出力させる又は／及び設定された振動パターンで振動装置１７を駆動させる着信報知処理と、発呼を示す信号が操作ボタン群１４１から入力された場合、選択された電話番号への発信を行い、公衆基地局又はアクセスポイントとの間で無線通信回線を形成する発信処理と、受信した音声信号等に基づく音信号を増幅及び復調してスピーカ１８ｂに出力させるとともに、マイク１８ａから入力された音声信号に基づく音データを公衆基地局又はアクセスポイントに送信する通話中継処理とを含む。
【００３６】
振動装置１７は、モータによって重りを偏心回転させることで振動を発生するバイブレータを備え、ＣＰＵ１０からの指示に基づいて携帯電話機１を振動させる。
【００３７】
マイク１８ａは、Ａ／Ｄ変換部を備えており、ユーザの送話音声をＡ／Ｄ変換し、音声信号としてＣＰＵ１０に出力する。
【００３８】
スピーカ１８ｂは、Ｄ／Ａ変換部を備えており、ＣＰＵ１０から入力される音信号や着信音、操作確認音等の音データをＤ／Ａ変換して出力する。
【００３９】
次に、本実施の形態の動作を説明する。
図４及び５に、本実施の形態における着信規制処理を示す。当該処理及びその処理において実行される各処理は、ＣＰＵ１０と記憶部１１に記憶されたプログラム及びデータとの協働によるソフトウェア処理により実現される。
【００４０】
なお、図４及び５に示される着信規制処理は、携帯電話機１に電源が供給されている間において、実行されるものである。
【００４１】
まず、公衆回線用モジュール１５及び構内回線用モジュール１６が用いられて公衆基地局及びアクセスポイントの検出が実行され（ステップＳ１）、公衆基地局及びアクセスポイントの有無（基地局の有無）が判別される（ステップＳ２）。公衆基地局及びアクセスポイントのいずれとも無い（基地局無し）と判別された場合（ステップＳ２；Ｎｏ）、公衆無線通信回線網及び構内無線通信回線網の範囲外（圏外）となり通信が不可能であるため、ステップＳ１に戻る。
【００４２】
少なくとも公衆基地局及びアクセスポイントのいずれか一方が有る（基地局有り）と判別された場合（ステップＳ２；Ｙｅｓ）、検出された基地局の識別番号が現在の位置情報として記憶部１１内に一時的に記憶される（ステップＳ３）。
【００４３】
現在の位置情報が一時記憶された後（ステップＳ３後）、記憶部１１内に一時記憶された現在の位置情報がアクセスポイントの識別情報であるか否かが判別され（ステップＳ４）、アクセスポイントの識別情報であると判別された場合（ステップＳ４；Ｙｅｓ）、構内回線用モジュール１６が選択され（ステップＳ５）、アクセスポイントの識別情報でないと判別された場合（ステップＳ４；Ｎｏ）、公衆回線用モジュール１５が選択される（ステップＳ６）。
【００４４】
構内回線用モジュール１６又は公衆回線用モジュール１５が選択された後（ステップＳ５又はステップＳ６後）、選択された回線用モジュールのアンテナを介して着呼を示す信号が受信されたか否か（着信の信号の有無）が判別される（ステップＳ７）。
【００４５】
着信の信号が無しと判別された場合（ステップ７；Ｎｏ）、操作ボタン群１４１から操作指示が入力されたか否かが判別され（ステップＳ８）、操作指示無しと判別された場合（ステップＳ８；Ｎｏ）、ステップＳ１２に進む。
【００４６】
操作指示有りと判別された場合（ステップＳ８；Ｙｅｓ）、操作ボタン群１４１からの操作指示が着信設定データ群１２の設定変更指示であるか否かが判別され（ステップＳ９）、着信設定データ群１２の設定変更指示でないと判別された場合（ステップＳ９；Ｎｏ）、操作指示に対応するアプリケーション等の処理が実行され（ステップＳ１０）、ステップＳ１２に進む。
【００４７】
着信設定データ群１２の設定変更指示であると判別された場合（ステップＳ９；Ｙｅｓ）、操作ボタン群１４１からの操作指示に基づいて着信設定データ群１２の設定変更処理が実行され（ステップＳ１１）、ステップＳ１２に進む。
【００４８】
着信設定データ群１２の設定変更処理としては、例えば、登録識別情報に対する登録通信相手先情報の追加又は変更、着信報知処理情報又は対応処理情報の変更等が挙げられる。
【００４９】
各処理が実行された後（ステップＳ１０又はステップＳ１１後）、基地局が検出された時点（ステップＳ１）から予め設定された時間が経過したか否かが判別され（ステップＳ１２）、予め設定された時間が経過していないと判別された場合（ステップＳ１２；Ｎｏ）、ステップＳ７に戻り、予め設定された時間が経過したと判別された場合（ステップＳ１２；Ｙｅｓ）、ステップＳ１に戻る。
【００５０】
次に、着信の信号が有りと判別された場合（ステップ７；Ｙｅｓ）、選択された回線用モジュールは構内回線用モジュール１６であるか否かが判別される（ステップＳ１３）。
【００５１】
構内回線用モジュール１６が選択されていると判別された場合（ステップＳ１３；Ｙｅｓ）、記憶部１１内から現在の位置情報を読出し、着信設定データ群１２が参照され（ステップＳ１４）、現在の位置情報に一致する着信設定データ群１２の登録識別情報が有るか否かが判別される（ステップＳ１５）。
【００５２】
現在の位置情報に一致する登録識別情報が有りと判別された場合（ステップＳ１５；Ｙｅｓ）、着信時の電話番号に基づいて通信相手先を特定し、特定された通信相手先と着信設定データ群１２において一致した登録識別情報に対する登録通信相手先情報とが一致するか否かが判別される（ステップＳ１６）。
【００５３】
特定された通信相手先と着信設定データ群１２において一致した登録識別情報に対する登録通信相手先情報とが一致すると判別された場合（ステップＳ１６；Ｙｅｓ）、一致した登録通信相手先情報に対応付けられた着信報知処理情報による着信報知処理が実行され（ステップＳ１７）、着信報知処理が実行された時点から予め設定された時間内に操作ボタン群１４１から通話開始の操作指示が入力されたか否かが判別される（ステップＳ１８）。
【００５４】
予め設定された時間内に通話開始の操作指示有りと判別された場合（ステップＳ１８；Ｙｅｓ）、通話中継処理が実行される（ステップＳ１９）。その後、選択された回線用モジュールに対応する無線通信回線網との通信状態が保持されており通信相手との通話中継処理が継続中であるか又は終了されたかが判別され（ステップＳ２０）、通話中継処理が継続中であると判別された場合（ステップＳ２０；継続中）ステップＳ１９に戻り、通話中継処理が終了されたと判別された場合（ステップＳ２０；終了）、ステップＳ１に戻る。
【００５５】
予め設定された時間内に通話開始の操作指示無しと判別された場合（ステップＳ１８；Ｎｏ）、一致した登録通信相手先情報に対応付けられた対応処理情報が有るか否かが判別され（ステップＳ２１）、一致した登録通信相手先情報に対応付けられた対応処理情報が無いと判別された場合（ステップＳ２１；Ｎｏ）、ステップＳ７に戻る。
【００５６】
一致した登録通信相手先情報に対応付けられた対応処理情報が有りと判別された場合（ステップＳ２１；Ｙｅｓ）、一致した登録通信相手先情報に対応付けられた対応処理情報が実行され（ステップＳ２２）、ステップＳ１に戻る。
【００５７】
また、構内回線用モジュール１６が選択されていない、即ち、公衆回線用モジュール１５が選択されていると判別された場合（ステップＳ１３；Ｎｏ）、記憶部１１内から現在の位置情報を読出し、着信設定データ群１２が参照され（ステップＳ２３）、着信時の電話番号に基づいて通信相手先を特定し、特定された通信相手先と着信設定データ群１２の公衆基地局に対する登録通信相手先情報とが一致するか否かが判別される（ステップＳ２４）。
【００５８】
特定された通信相手先と着信設定データ群１２の公衆基地局に対する登録通信相手先情報とが一致すると判別された場合（ステップＳ２４；Ｙｅｓ）、ステップＳ１７に進む。
【００５９】
特定された通信相手先と着信設定データ群１２の公衆基地局に対する登録通信相手先情報とが一致しない判別された場合（ステップＳ２４；Ｎｏ）、現在の位置情報に一致する登録識別情報が無いと判別された場合（ステップＳ１５；Ｎｏ）又は特定された通信相手先と着信設定データ群１２において一致した登録識別情報に対する登録通信相手先情報とが一致しないと判別された場合（ステップＳ１６；Ｎｏ）、現在の位置情報や通信相手先に拘わらない通常の着信報知処理が実行され（ステップＳ２５）、通常の着信報知処理が実行された時点から予め設定された時間内に操作ボタン群１４１から通話開始の操作指示が入力されたか否かが判別される（ステップＳ２６）。
【００６０】
予め設定された時間内に通話開始の操作指示無しと判別された場合（ステップＳ２６；Ｎｏ）、ステップＳ７に戻る。
【００６１】
予め設定された時間内に通話開始の操作指示有りと判別された場合（ステップＳ２６；Ｙｅｓ）、通話中継処理が実行される（ステップＳ２７）。その後、選択された回線用モジュールに対応する無線通信回線網との通信状態が保持されており通信相手との通話中継処理が継続中であるか又は終了されたかが判別され（ステップＳ２８）、通話中継処理が継続中であると判別された場合（ステップＳ２８；継続中）ステップＳ２７に戻り、通話中継処理が終了されたと判別された場合（ステップＳ２８；終了）、ステップＳ１に戻る。
【００６２】
このように、本実施の形態によれば、人為的な操作無しに現在の位置情報及び通信相手先に応じて着信応答処理の切替え動作を実現させることができるため、緊急事項や重要事項等の連絡を受信できないという問題を解消させ、その後の対応が遅れることによって多大な損害が生る怖れを防止でき、また、通信相手先の着信応答処理設定を忘れることにより周囲に迷惑をかける怖れを防止でき、ユーザに対する利便性を向上させることができる。また、公衆回線用モジュール１５と構内回線用モジュール１６を備えることにより、公衆無線通信回線網及び構内無線通信回線網を介して通信な携帯電話機１が実現され、構内の特定の位置において、着信応答処理の切替え動作を実現させることができる。
【図面の簡単な説明】
【００６３】
【図１】図１（ａ）に携帯電話機１の正面図、図１（ｂ）に携帯電話機１の背面図が示された本実施の形態１における携帯通信端末装置としての携帯電話機１の外観である。
【図２】本実施の形態における携帯電話機１の内部構成である。
【図３】本実施の形態における着信設定データ群１２の一例である。
【図４】本実施の形態における通信モジュール選択処理である。
【図５】本実施の形態における通信モジュール選択処理である（図４の続き）。
【符号の説明】
【００６４】
１  携帯電話機
１０  ＣＰＵ
１１  記憶部
１２  着信設定データ群
１３  表示部
１３１  メイン表示部
１３２  サブ表示部
１４  操作部
１４１  操作ボタン群
１５  公衆回線用モジュール
１５１  公衆回線用アンテナ
１６  構内回線用モジュール
１６１  構内回線用アンテナ
１７  振動装置
１８ａ  マイク
１８ｂ  スピーカ
１９  バス
【図１】
2006211573.tif 000003
【図２】
2006211573.tif 000004
【図３】
2006211573.tif 000005
【図４】
2006211573.tif 000006
【図５】
2006211573.tif 000007